(57)【要約】本発明は、実質的に長方形マスク支持フレーム（２０）を有するＣＲＴ（１）のためのテンションマスクフレームアッセンブリー（１０）に関する。マスク支持フレーム（２０）は、中央長軸Ｘに延びる長い側面（２２、２４）のペアを有し、かつ、中央短軸Ｙに延びる短い側面（２６、２８）のペアを有している。これら側面のペアの少なくとも一つにおいて、中央部分（２５）は、二つの端部セクション（２７）間に配置され、かつ、二つの端部セクション（２７）に連続している。中央部分（２５）は、端部セクション（２７）の材料よりも低い熱膨張係数を有する材料で製造されている。テンションマスクは、中央部分（２５）を有する側面のペアに近接した取り付け位置にて、マスク支持フレーム（２０）に支持されている。
2005500657.tif 000002
【特許請求の範囲】
【請求項１】
中央長軸Ｘに沿って延びる長い側面（２２、２４）のペアと、中央短軸Ｙに沿って伸びる短い側面（２６、２８）のペアとを有する、実質的に長方形のマスク支持フレーム（２０）；
前記の長い側面（２２、２４）と前記の短い側面（２６、２８）とのペアの少なくとも一つが二つの端部セクション（２７）間に配置され、かつ該二つの端部セクション（２７）と連続している中央部分（２５）を有し、かつ、該中央部分（２５）は、端部セクション（２７）の熱膨張係数よりも小さな熱膨張係数を有しており；かつ
前記中央部分（２５）を有する側面の近傍の前記の側面のペアに沿って、取り付け位置にて、前記マスク支持フレームに支持されているテンションマスク（３０）；
を備えていることを特徴とする、ＣＲＴ（１）用テンションマスクフレームアッセンブリー（１０）。
【請求項２】
前記端部セクション（２７）及び前記中央部分（２５）は、前記の短い側面（２６、２８）に沿って配置されていることを特徴とする請求項１に記載のテンションマスクフレームアッセンブリー（１０）。
【請求項３】
前記端部セクション（２７）のそれぞれは、前記中央部分（２５）と該端部セクション（２７）との間に傾斜部分（２３）をさらに備えていることを特徴とする請求項２に記載のテンションマスクフレームアッセンブリー（１０）。
【請求項４】
前記テンションマスク（３０）は、前記取り付け位置にて、前記フレームに取り付けられている支持ブレード部材（４０）により支持されていることを特徴とする請求項１に記載のテンションマスクフレームアッセンブリー（１０）。
【請求項５】
前記取り付け位置は、およそ、長い側面（２２、２４）のそれぞれの中心に配置されていることを特徴とする請求項４に記載のテンションマスクフレームアッセンブリー（１０）。
【請求項６】
テンションマスク（３０）を有する陰極線管（１）用のテンションマスクフレームアッセンブリー（１０）であって、
中央長軸Ｘに平行な第１対向側面のペアを有し、該第１対向側面は、取り付けられた支持ブレード部材（４０）を有している、マスク支持フレーム（２０）；及び
中央短軸Ｙに平行で、前記第１対向側面間に延びている第２対向側面のペア；
を備えており、
前記第２対向側面は、中央部分（２５）から延び、かつ該中央部分（２５）に連続している端部セクション（２７）のペアを有し、
端部セクション（２７）のそれぞれは、第１対向側面の端部に取り付けられ、
前記中央部分（２５）は、前記端部セクション（２７）の熱膨張係数よりも小さな熱膨張係数を有している；
ことを特徴とする、テンションマスクフレームアッセンブリー（１０）。
【請求項７】
前記端部セクション（２７）のそれぞれは、前記中央部分（２５）と該端部セクション（２７）との間に傾斜部分（２３）をさらに備えていることを特徴とする請求項６に記載のテンションマスクフレームアッセンブリー（１０）。
【請求項８】
前記支持ブレード部材（４０）のそれぞれは、前記第１対向側面のそれぞれの中心の近傍に位置する位置に取り付けられていることを特徴とする請求項６に記載のテンションマスクフレームアッセンブリー（１０）。
【発明の詳細な説明】
【０００１】
（本発明の技術分野）
本発明は、テンションマスクを有する陰極線管（ＣＲＴｓ）に関し、特に、ディテンショニングマスク支持フレームを有するＣＲＴｓのためのテンションマスクフレームアッセンブリーに関する。
（本発明の背景技術）
カラー陰極線管、あるいはＣＲＴは、三つの電子ビームを形成し、かつ、この管のスクリーンに三つの電子ビームを投射するための電子銃を有している。このスクリーンは、この管のフェースプレートパネルの内部表面上に配置され、異なる三つの発光蛍光体の要素のアレイで製造されている。形成されたマスクまたはストランドを有するテンションマスクのいずれでもよいシャドーマスクは、電子銃とスクリーンとの間に配置されている。電子銃から放射された電子ビームは、シャドーマスクのアパチャーを通過し、スクリーンに当たり、蛍光が発光し、フェースプレートパネルの表示面上に画像が表示される。
【０００２】
一つのタイプのＣＲＴは、外部励起下にて、大きな振幅にて振動する傾向を減ずべく、マスク支持フレーム上に張られるストランドのセットを備えているテンションマスクを有している。かかる振動は、スクリーン上にグロスの電子ビームの不投射を生じ、ＣＲＴの表示に対して好ましくない画像の乱れをもたらす。
【０００３】
許容可能な振動特性の達成に必要なマスクのストレスは、管の操作温度にてマスク材料の降伏点以下である。しかしながら、管の高温処理温度では、マスクの材料特性は変化し、マスク材料の弾性限界は有意に減弱する。かかる条件では、マスクのストレスは、マスク材料の弾性限界を超え、この材料は、非弾性的に伸張される。この管が処理の後に冷却されると、ストランドは、もはや処理前の状態ではなく、マスクフレームは、処理前と同様のレベルの張力へとマスクストランドを張ることができなくなる。
【０００４】
マスクフレームアッセンブリーの開発に望ましいのは、マスクの伸張を軽減すべく、ＣＲＴの製造に用いられる熱サイクル中に、効果的にテンションマスクを解除させることである。
（本発明の概略）
本発明は、ほぼ長方形のマスク支持フレームを有するＣＲＴのためのテンションマスクフレームアッセンブリーに関する。マスク支持フレームは、中央長軸に延びる長い側面のペアと、中央短軸に延びる短い側面のペアとを有している。これら側面の少なくとも一つのペアでは、二つの端部セクション間に中央部分が配され、かつ、中央部分は、二つの端部に連続している。この中央部分は、端部の材料の熱膨張係数よりも小さな熱膨張係数を持つ材料で製造されている。テンションマスクは、長軸のペアに沿った取り付け位置にて、マスク支持フレームに支持されている。
（図面の簡単な説明）
本発明を、添付した図面に関する参照として実施例により述べる。
（本発明の詳細な記載）
図１は、ガラスエンベロープ２を有する陰極線管（ＣＲＴ）１を示しており、長方形フェースプレートパネル３及びファンネル５に取り付けられて管状ネック４を備えている。ファンネル５は、陽極ボタン６からフェースプレートパネル３へと向かい、ネック４へと延びている内部導電性コーティーング（図示せず）を有している。フェースプレートパネル３は、表示フェースプレート８及び周辺フランジまたは側壁９を備えており、ガラスフリット７によりファンネル５にシールされている。三原色蛍光スクリーン１２は、フェースプレートパネル３の内部表面により運ばれる。スクリーン１２は、三つ組にアレンジされた蛍光線を有するラインスクリーンであり、三つ組のそれぞれは、三原色のそれぞれの蛍光線を有している。テンションマスクフレームアッセンブリー１０は、所定の間隔で、スクリーン１２に取り外し可能に取り付けられている。図１で、図示的に破線で示されている電子銃１３は、ネック４の内部の中心に取り付けられ、三つのインライン型電子ビーム、中心ビーム、及び二つの側方または外部ビームを発生し、テンションマスクフレームアッセンブリーを介して、集束パスに沿ってスクリーン１２へと投射している。
【０００５】
ＣＲＴ１は、ファンネル−ネック接合部の近傍に示されている外部磁気屈折ヨーク１４に使用されるべくデザインされている。活性化されると、ヨーク１４は、三つの電子ビームを磁場に投射し、スクリーン１２全体に、長方形ラスター状に、ビームを水平的かつ垂直的に走査させている。
【０００６】
図２に示したテンションマスクフレームアッセンブリー１０は、二つの長い側面２２、２４と二つの短い側面２６、２８を有している。テンションマスクフレームアッセンブリー１０の二つの長い側面２２、２４は、管の中央長軸Ｘに平行であり、二つの短い側面２６、２８は、管の中央短軸Ｙに平行である。側面２２、２４、２６、２８は、長方形管状材料に好ましくは、形成される。しかしながら、これら側面を形成すべく、その他の幾何学的管状材料またはその他の固体材料を利用してもよいということを理解すべきである。短い側面２６、２８は、端部セクション２７内部に配置された傾斜部分２３を有している。端部セクション２７間には、中央部分２５が配置されて結合している。二つの長い側面２２、２４及び二つの短い側面２６，２８は、連続マスク支持フレームを好ましく形成し、中央部分２５が一般的な平面の外側及びテンションマスクから離れて横たわる一方、長い側面２２、２４は、テンションマスク４３０にほぼ平行な平面に横たわっている。代替的に、二つの長い側面２２、２４及び二つの短い側面２６、２８は、同じ平面に横たわる長軸及び短軸に沿った連続的平面マスク支持フレーム２０を形成してもよい。
【０００７】
ここで図２及び３を参照すると、短い側面２６、２８のそれぞれをより詳細に述べる。これら側面は同一であるので、仮定として、短い側面２８のみを述べるが、短い側面２６にも同様の記述を適用する。短い側面２８は、熱膨張係数が比較的低い材料にて形成された中央部分２５を有している。中央部分２５に適している、かかる材料の例は、Ｉｎｖａｒ（登録商標；鉄ニッケル合金）である。端部セクション２７のペアは、連続した短い側面２８を形成すべく、中央部分２５の端部のそれぞれから外側へと延びている。端部セクション２７は、熱膨張係数の比較的高い材料にてそれぞれ形成される。端部セクション２７に適している、かかる材料の例はスチールである。スチール及びＩｎｖａｒは適切な材料であるが、熱膨張係数の低いものから高いものまで同様の材料を用いてもよい。端部セクション２７のそれぞれは、中央部分２５から延びている端部と、個々の長い側面２２、２４と出会う端部との間に配置された傾斜部分２３を有している。端部セクション２７は、鋳造位置２９にて、中央部分２５の端部に好ましく鋳造される。
【０００８】
テンションマスクフレームアッセンブリー１０は、孔を有するテンションマスク３０（ここでは簡便にシート状態として図示している）を有しており、管の短軸Ｙに平行な複数の伸張スリット（図示せず）を有する複数のメタルストリップ（図示せず）を有している。テンションマスク３０は、支持ブレード部材４０のペアに固定されており、取り付け位置３３（図２に最も良好に示している）にて、マスク支持フレーム２０に締め付けられている。支持ブレード部材４０は、テンションマスク３０全体に最良な曲率及び張力の適合性を許容すべく、支持ブレード部材４０のそれぞれの中心から支持ブレード部材４０の端部へと長軸方向の高さが変化してもよい。
【０００９】
使用時、テンションマスクフレームアッセンブリー１０は、管の処理における熱サイクル中、テンションマスク４０を解除すべくデザインされている。加熱中、中心部分２５は、低率にて膨張し、端部セクション２７では、高率にて膨張する。この膨張特性は、短軸Ｙに沿って、マスク上の張力を緩和すべく、短い側面２６、２８にテンションマスク３０よりも軽度に膨張を生じさせる。当業者が理解すべきことは、中央部分２５は、長軸Ｘに沿って同様の解除を得るべく、長い側面２２、２４に代替的に適用できる、ということである。
【図面の簡単な説明】
【００１０】
【図１】テンションマスクフレームアッセンブリーを示す、ＣＲＴの断面図である。
【図２】テンションマスクフレームアッセンブリーの斜視図である。
【図３】図２の線３−３に沿ってみた断面図である。
【国際公開パンフレット】
2005500657.tif 000003
2005500657.tif 000004
2005500657.tif 000005
2005500657.tif 000006
2005500657.tif 000007
2005500657.tif 000008
2005500657.tif 000009
2005500657.tif 000010
2005500657.tif 000011
2005500657.tif 000012
【国際調査報告】
2005500657.tif 000013
2005500657.tif 000014